(57)【要約】【課題】発光素子の超薄化と輝度向上を具現するバックライトユニットを提供する。【解決手段】光源モジュールと、前記光源モジュールから放出された光を下記の光学部材方向に反射させる少なくとも２個の傾斜面を含む反射板と、前記光源モジュールと反射板から入射された光を伝達する光学部材とを含み、前記光源モジュールに隣接して配置された傾斜面の水平面に対する勾配よりも、前記光源モジュールから遠く配置された傾斜面の水平面に対する勾配が大きいバックライトユニットを構成する。【選択図】図１
2014078520.tif 000002
【特許請求の範囲】
【請求項１】
光源モジュール；
前記光源モジュールと離隔し、複数の傾斜面を含む反射板；及び
前記光源モジュールと反射板から入射された光を伝達する光学部材；を含み、
前記複数の傾斜面は互いに離隔し、
前記光源モジュールは、互いに対向する少なくとも一対の発光素子アレイを含み、
前記複数の傾斜面のうち、前記一対の発光素子アレイ間の中心軸に配置された傾斜面は最も大きい高さを有するバックライトユニット。
【請求項２】
前記複数の傾斜面は、前記少なくとも一対の発光素子アレイ間の中心軸に対して対称である、請求項１に記載のバックライトユニット。
【請求項３】
前記少なくとも一対の発光素子アレイは、
互いに対向する一対の第１の発光素子アレイ；及び
互いに対向する一対の第２の発光素子アレイ；を含む４―エッジタイプである、請求項１又は２に記載のバックライトユニット。
【請求項４】
前記複数の傾斜面のそれぞれは互いに同心を有する、請求項１から３のいずれか１項に記載のバックライトユニット。
【請求項５】
前記複数の傾斜面のそれぞれは、互いに異なる長さを有する四角形上に配置される、請求項１から４のいずれか１項に記載のバックライトユニット。
【請求項６】
前記一対の第１の発光素子アレイ間の中心軸と、前記一対の第２の発光素子アレイ間の中心軸とが出会う地点の傾斜面は、前記複数の傾斜面のうち最も大きい高さを有する、請求項３から５のいずれか１項に記載のバックライトユニット。
【請求項７】
前記反射板は、前記第１及び第２の発光素子アレイのうち近い位置の発光素子アレイから遠ざかるほど水平面に対する勾配が大きくなる、請求項３から６のいずれか１項に記載のバックライトユニット。
【請求項８】
前記光源モジュールに隣接して配置された傾斜面の高さよりも、前記光源モジュールから遠く配置された傾斜面の高さが大きい、請求項１から７のいずれか１項に記載のバックライトユニット。
【請求項９】
前記各傾斜面は、前記光源モジュールから遠ざかるほど高さが増加する、請求項１から８のいずれか１項に記載のバックライトユニット。
【請求項１０】
前記傾斜面は、水平面に対して４０°ないし５０°傾いている、請求項１から９のいずれか１項に記載のバックライトユニット。
【請求項１１】
前記傾斜面の表面には反射物質が形成される、請求項１から１０のいずれか１項に記載のバックライトユニット。
【請求項１２】
前記反射物質はアルミニウム又は銀である、請求項１１に記載のバックライトユニット。
【請求項１３】
前記傾斜面が備えられた反射板の底面にはアルミニウム又は銀が形成される、請求項１から１２のいずれか１項に記載のバックライトユニット。
【請求項１４】
前記傾斜面の表面にはパターンが備えられ、前記光源モジュールから入射される光を散乱させる、請求項１から１３のいずれか１項に記載のバックライトユニット。
【請求項１５】
前記反射板で進行された光をガイドする導光板をさらに含む、請求項１から１４のいずれか１項に記載のバックライトユニット。
【発明の詳細な説明】
【技術分野】
【０００１】
実施例は、発光素子が備えられたバックライト及びこれを含む表示装置に関するもので
ある。
【背景技術】
【０００２】
半導体の３−５族又は２−６族化合物半導体物質を用いた発光ダイオード（Ｌｉｇｉｔ
Ｅｍｉｔｔｉｎｇ  Ｄｉｏｄｅ）やレーザーダイオードなどの発光素子は、薄膜成長技
術及び素子材料の開発によって赤色、緑色、青色及び紫外線などの多様な色を具現するこ
とができ、蛍光物質を用いたり、色を組み合わせることによって効率の良い白色光線も具
現可能であり、蛍光灯及び白熱灯などの既存の光源に比べて低消費電力、半永久的な寿命
、速い応答速度、安全性、環境親和性などの長所を有する。
【０００３】
したがって、光通信手段の送信モジュール、ＬＣＤ（Ｌｉｑｕｉｄ  Ｃｒｙｓｔａｌ  
Ｄｉｓｐｌａｙ）表示装置のバックライトを構成する冷陰極管（Ｃｏｌｄ  Ｃａｔｈｏｄ
ｅ  Ｆｌｕｏｒｅｓｃｅｎｃｅ  Ｌａｍｐ：ＣＣＦＬ）に取って代わる発光ダイオードバ
ックライト、蛍光灯や白熱電球に取って代わる白色発光ダイオード照明装置、自動車ヘッ
ドライト及び信号灯にまで応用が拡大されている。
【発明の概要】
【発明が解決しようとする課題】
【０００４】
実施例は、発光素子の超薄化と輝度向上を具現しようとする。
【課題を解決するための手段】
【０００５】
実施例は、光源モジュールと、前記光源モジュールから放出された光を下記の光学部材
の方向に反射させる少なくとも２個の傾斜面を含む反射板と、前記光源モジュールと反射
板から入射された光を伝達する光学部材とを含み、前記光源モジュールに隣接して配置さ
れた傾斜面の水平面に対する勾配よりも、前記光源モジュールから遠く配置された傾斜面
の水平面に対する勾配が大きいバックライトユニットを提供する。
【０００６】
ここで、前記光源モジュールが単一のライン形態で配置される。
【０００７】
そして、前記各傾斜面は、前記光源モジュールから遠ざかるほど前記水平面に対する勾
配が増加する。
【０００８】
そして、前記光源モジュールに隣接して配置された傾斜面の高さよりも、前記光源モジ
ュールから遠く配置された傾斜面の高さが大きい。
【０００９】
そして、前記各傾斜面は、前記光源モジュールから遠ざかるほど高さが増加する。
【００１０】
そして、前記光源モジュールは、互いに対向する一対の発光素子アレイを含むことがで
きる。
【００１１】
そして、前記少なくとも２個の傾斜面は、前記一対の発光素子アレイ間の中心軸に対し
て対称である。
【００１２】
そして、前記傾斜面は、前記水平面に対して４０〜５０°傾いている。
【００１３】
そして、前記傾斜面の表面には反射物質が形成される。
【００１４】
そして、前記反射物質はアルミニウム又は銀である。
【００１５】
そして、前記傾斜面が備えられた反射板の底面にはアルミニウム又は銀が形成される。
【００１６】
そして、前記傾斜面の表面にはパターンが備えられ、前記光源モジュールから入射され
る光を散乱させることができる。
【００１７】
また、前記反射板から進行された光をガイドする導光板をさらに含むことができる。
【００１８】
他の実施例は、４−エッジタイプの光源モジュールと、前記光源モジュールから放出さ
れた光の進路を変更する反射板とを含み、ここで、前記反射板は少なくとも２個の傾斜面
を含み、前記各傾斜面は、同心を有し、かつ、互いに異なる長さを有する四角形上に配置
されるバックライトユニットを提供する。
【００１９】
ここで、前記四角形の頂点が曲率を有することができる。
【００２０】
そして、前記傾斜面は、前記４個の光源モジュールのうち近い位置の光源モジュールか
ら遠ざかるほど高さが増加する。
【００２１】
そして、前記反射板は、前記４個の光源モジュールのうち近い位置の光源モジュールか
ら遠ざかるほど水平面に対する勾配が大きくなる。
【００２２】
更に他の実施例は、光源モジュール、前記光源モジュールから放出された光の進路を変
更する反射板、及び前記光源モジュールと反射板を収容するフレームを含み、前記反射板
は少なくとも２個の傾斜面を含み、前記光源モジュールに隣接して配置された傾斜面の水
平面に対する勾配よりも前記光源モジュールから遠く配置された傾斜面の水平面に対する
勾配が大きいバックライトユニットと、前記バックライトユニットから投射された光を下
記のパネルに投射する導光板と、前記導光板上に配置され、前記投射された光によって画
像を具現する前記パネルとを含む表示装置を提供する。
【００２３】
ここで、前記光源モジュールは、互いに対向する一対の発光素子アレイを含み、前記少
なくとも２個の傾斜面は前記一対の発光素子アレイ間の中心軸に対して対称である。
【発明の効果】
【００２４】
実施例に係る発光素子は、厚さが薄く、かつ、輝度が向上するという効果を有する。
【図面の簡単な説明】
【００２５】
【図１】発光素子パッケージの一実施例を示した図である。
【図２】第１の実施例に係るバックライトユニットの発光素子モジュールと反射板を示した断面図である。
【図３】図２の斜視図である。
【図４】図２の反射板を詳細に示した図である。
【図５】第２の実施例に係るバックライトユニットの発光素子モジュールと反射板を示した断面図である。
【図６】図５の斜視図である。
【図７】図５の反射板を詳細に示した図である。
【図８】第３の実施例に係るバックライトユニットの発光素子モジュールと反射板を詳細に示した図である。
【図９】図８の反射板を詳細に示した図である。
【図１０Ａ】第４の実施例に係るバックライトユニットの発光素子モジュールと反射板を示した図ある。
【図１０Ｂ】第４の実施例に係るバックライトユニットの発光素子モジュールと反射板を示した図ある。
【図１１Ａ】図１０の反射板を詳細に示した図である。
【図１１Ｂ】図１０の反射板を詳細に示した図である。
【図１２】表示装置の一実施例を示した斜視図である。
【発明を実施するための形態】
【００２６】
以下、前記のような目的を具体的に実現できる好適な実施例を添付の図面を参照して説
明する。
【００２７】
前記各実施例の説明において、各層（膜）、領域、パターン又は各構造物が基板、各層
（膜）、領域、パッド又は各パターンの「上」又は「下」に形成されると記載される場合
、「上」と「下」は、「直接」又は「他の層を介在して」形成されることをいずれも含む
。また、各層の上又は下は図面を基準にして説明する。
【００２８】
図中の各層の厚さや大きさは、説明の便宜及び明確性のために誇張したり、省略したり
、又は概略的に示した。また、各構成要素の大きさは、実際の大きさを全的に反映するも
のではない。
【００２９】
図１は、発光素子の一実施例を示した図である。
【００３０】
図１に示すように、発光素子パッケージ１００は、パッケージ本体２０上に発光素子１
４が備えられており、前記パッケージ本体２０に形成された第１及び第２の電極１１、１
２と前記発光素子１４が電気的に連結されている。
【００３１】
ここで、発光素子１４は、基板上にｐ型半導体層、活性層及びｎ型半導体層を含む窒化
物半導体が形成された発光ダイオードである。
【００３２】
そして、前記発光素子１４は、接合層１６を介して前記パッケージ本体２０上に固定す
ることができ、放熱パッド（図示せず）が備えられることによって、前記発光素子１４か
ら放出される熱の吸収・放出を行うことができる。
【００３３】
前記パッケージ本体２０は、シリコン材質、合成樹脂材質又は金属材質を含んで形成さ
れ、前記発光素子１４の周囲に傾斜面が形成されることによって光抽出効率を高めること
ができる。
【００３４】
ここで、前記発光素子１４は、図示したワイヤ１５ボンディング方式の他に、フリップ
チップ方式又はダイボンディング方式のうちいずれか一つによって前記第１及び第２の電
極１１、１２と電気的に連結されることもある。
【００３５】
前記第１の電極１１及び第２の電極１２は、互いに電気的に分離され、前記発光素子１
４に電源を提供する。また、前記第１の電極１１及び第２の電極１２は、前記発光素子１
４から発生した光を反射させて光効率を増加させることができ、前記発光素子１４から発
生した熱を外部に排出する役割をすることもできる。
【００３６】
樹脂層１８は、前記発光素子１４を包囲して保護することができる。また、前記樹脂層
１８に蛍光体が含まれることによって、前記発光素子１４から放出された光の波長を変化
させることができる。
【００３７】
また、レンズ１７がさらに形成されるが、前記レンズ１７は、前記樹脂層１８上に備え
られたり、前記樹脂層１８を包囲したり、パッケージ本体２０上に形成されて前記パッケ
ージ本体２０を覆うこともできる。前記レンズ１７は、前記発光素子１４から放出された
光の進路を変更できるが、前記レンズ１７は省略可能である。
【００３８】
図２は、第１の実施例に係るバックライトユニットの発光素子モジュールと反射板を示
した断面図で、図３は、図２の斜視図で、図４は、図２の傾斜面を詳細に示した図である
。以下では、図２〜図４を参照して実施例に係るバックライトユニットを詳細に説明する
。
【００３９】
図示したように、印刷回路基板１１０上に発光素子パッケージ１００アレイが備えられ
ている。そして、Ｌ字状のブラケット１２０の第１の面上には、前記発光素子パッケージ
１００アレイが備えられた印刷回路基板１１０が接合されている。以下では、このような
前記ブラケット１２０、印刷回路基板１１０及び発光素子パッケージ１００の組み合わせ
を光源モジュールという。
【００４０】
そして、フレーム２００の一側面に前記発光素子モジュールが固定されており、図示し
ていないが、熱伝達部材が前記ブラケット１２０と接して前記フレーム２００上に備えら
れる。
【００４１】
ここで、フレーム２００は、強度に優れた金属からなり、一例として、耐腐食性に優れ
たステンレスからなる。そして、バックライトユニットのスリム化傾向に伴い、フレーム
２００としては、厚さが０.１〜０.２ｍｍのものを使用することができる。また、前記フ
レーム２００の大きさは、バックライトユニットが使用される液晶表示素子などの表示装
置の画面サイズによって変わり得る。ただし、表示装置の画面を考慮すると、フレーム２
００は矩形形状にて形成される。
【００４２】
そして、前記フレーム２００上に反射板が備えられ、この反射板は、前記光源モジュー
ルから放出された光を反射して前記光の進路を変更することができる。そして、反射板は
、少なくとも２個の傾斜面、例えば、５個の傾斜面２１０ａ、２１０ｂ、２１０ｃ、２０
１ｄ、２１０ｅを含むことができる。そして、前記複数の傾斜面２１０ａ、２１０ｂ、２
１０ｃ、２０１ｄ、２１０ｅは、それぞれ光源モジュールから放出された光の進路をそれ
ぞれ異なる経路ａ、ｂ、ｃ、ｄ、ｅに変更することができる。
【００４３】
すなわち、水平方向に対して既に設定された角度だけ傾いた傾斜面で光が反射され、こ
の光は、図２の上部、すなわち、パネル方向に向かうようになる。図２では５個の傾斜面
が開示されているが、実際には、より多くの数の傾斜面が備えられるとき、輝度が向上し
、光が１ヶ所に集まって発生する斑を防止することができる。
【００４４】
そして、前記複数の傾斜面２１０ａ、２１０ｂ、２１０ｃ、２０１ｄ、２１０ｅは、前
記光源モジュールから遠ざかるほど高さが増加し、前記光源モジュールに隣接して配置さ
れた傾斜面の高さよりも、前記光源モジュールから遠く配置された傾斜面の高さが大きい
。
【００４５】
すなわち、図４に示すように、各傾斜面２１０ａ、２１０ｂ、２１０ｃ、２０１ｄ、２
１０ｅの高さｈａ、ｈｂ、ｈｃ、ｈｄ、ｈｅは、光源モジュールからの距離が増加するほ
ど高くなり、光源モジュールに近い傾斜面で反射されない光は、光源モジュールから遠い
距離に備えられた傾斜面で反射される。
【００４６】
ここで、各傾斜面２１０ａ、２１０ｂ、２１０ｃ、２０１ｄ、２１０ｅの勾配が一定で
あるときも、上述した光の反射効果を期待することができる。そして、図示したように、
各傾斜面２１０ａ、２１０ｂ、２１０ｃ、２０１ｄ、２１０ｅの勾配θａ、θｂ、θｃ、
θｄ、θｅは、前記光源モジュールから遠ざかるほど大きくなる。すなわち、前記光源モ
ジュールに隣接して配置された傾斜面の水平面に対する勾配よりも、前記光源モジュール
から遠く配置された傾斜面の水平面に対する勾配が大きい。
【００４７】
すなわち、光源モジュールから遠ざかるほど、到逹する光の量が減少し、反射される光
はパネルの外郭よりも中心付近に向かうので、傾斜面の勾配を大きくすることができる。
ただし、このとき、勾配の偏差が激しいと、輝度の斑が発生するおそれがあるので、前記
傾斜面２１０ａ、２１０ｂ、２１０ｃ、２０１ｄ、２１０ｅは水平面に対して４０〜５０
°傾くようになる。
【００４８】
ここで、勾配は、水平面に対する傾きを意味し、水平面とは、前記光源モジュールから
放出されて正面に向かう光と並んだ方向を意味する。
【００４９】
上述した反射効果のために、前記傾斜面２１０ａ、２１０ｂ、２１０ｃ、２０１ｄ、２
１０ｅの表面には、反射物質がコーティングなどの方法で形成されるが、具体的に、アル
ミニウム（Ａｌ）又は銀（Ａｇ）がコーティングされる。また、前記傾斜面２１０ａ、２
１０ｂ、２１０ｃ、２０１ｄ、２１０ｅが備えられた反射板の底面にもアルミニウム又は
銀が形成される。
【００５０】
そして、図示していないが、前記傾斜面２１０ａ、２１０ｂ、２１０ｃ、２０１ｄ、２
１０ｅの表面にパターンが備えられ、このパターンは、前記光源モジュールから入射され
る光を散乱させ、光を均一に反射させることができる。
【００５１】
そして、前記フレーム上に収容された光源モジュールと反射板上には、前記反射板で進
行された光を拡散させる光学部材が備えられる。光学部材は、反射板で導かれた光を液晶
表示装置などのパネル方向に均一に照射させる。
【００５２】
光学部材としては、拡散シート、プリズムシート又は保護シートなどの光学シートを選
択的に積層して使用し、あるいはマイクロレンズアレイを使用することもできる。このと
き、複数の光学シートを使用することもでき、光学シートは、アクリル樹脂、ポリウレタ
ン樹脂又はシリコン樹脂などの透明樹脂からなる。
【００５３】
図５は、第２の実施例に係るバックライトユニットの発光素子モジュールと反射板を示
した断面図で、図６は、図５の斜視図で、図７は、図５の傾斜面を詳細に示した図である
。以下では、図５〜図７を参照して実施例に係るバックライトユニットを詳細に説明する
。
【００５４】
本実施例では、光源モジュールが互いに対向してフレーム３００の両方向に備えられる
。そして、反射板は、複数の傾斜面３１０ａ、３１０ｂ、３１０ｃ、３１０ｄ、３１０ｅ
、３１０ｆ、３１０ｇを含むことができる。
【００５５】
ここで、複数の傾斜面３１０ａ、３１０ｂ、３１０ｃ、３１０ｄ、３１０ｅ、３１０ｆ
、３１０ｇは、フレームの中心軸、すなわち、前記一対の光源モジュール間の中心軸に対
して対称に備えられる。ここで、対称とは、中心軸に対して両方に備えられた各反射板の
高さｈａ、ｈｂ、ｈｃ、ｈｄ、ｈｅ、ｈｆ、ｈｇ、ｈｈ及び勾配θａ、θｂ、θｃ、θｄ
、θｅ、θｆ、θｇが対称であることを意味する。
【００５６】
そして、各傾斜面３１０ａ、３１０ｂ、３１０ｃ、３１０ｄ、３１０ｅ、３１０ｆ、３
１０ｇの勾配が一定であるときも、上述した光の反射効果を期待することができる。そし
て、図示したように、各傾斜面３１０ａ、３１０ｂ、３１０ｃ、３１０ｄ、３１０ｅ、３
１０ｆ、３１０ｇの勾配θａ、θｂ、θｃ、θｄ、θｅ、θｆ、θｇは、前記光源モジュ
ールから遠ざかるほど大きくなる。
【００５７】
そして、前記傾斜面３１０ａ、３１０ｂ、３１０ｃ、３１０ｄ、３１０ｅ、３１０ｆ、
３１０ｇは、前記一対の光源モジュールのうち近い位置の光源モジュールから遠ざかるほ
ど高さが増加する。すなわち、傾斜面３１０ａ、３１０ｂ、３１０ｃは、図５の左側の光
源モジュールに近く位置し、図５の左側光源モジュールから遠ざかるほど高さが増加する
。そして、傾斜面３１０ｅ、３１０ｆ、３１０ｇは、図５の右側の光源モジュールに近く
位置し、図５の右側光源モジュールから遠ざかるほど高さが増加する。また、中心軸上に
備えられた傾斜面３１０ｄの高さが最も高い。
【００５８】
ここで、水平方向に対して既に設定された角度だけ傾いた傾斜面３１０ａ、３１０ｂ、
３１０ｃ、３１０ｄ、３１０ｅ、３１０ｆ、３１０ｇで光が反射され、この光は、図５の
上部、すなわち、パネル方向に向かうようになる。図５では７個の傾斜面が開示されてい
るが、実際には、より多くの数の傾斜面が備えられるとき、輝度が向上し、光が１ヶ所に
集まって発生する斑を防止することができる。
【００５９】
ここで、各傾斜面３１０ａ、３１０ｂ、３１０ｃ、３１０ｄ、３１０ｅ、３１０ｆ、３
１０ｇの勾配が一定であるときも、上述した光の反射効果を期待することができる。そし
て、図示したように、各傾斜面３１０ａ、３１０ｂ、３１０ｃ、３１０ｄ、３１０ｅ、３
１０ｆ、３１０ｇは、前記一対の光源モジュールのうち近い位置の光源モジュールから遠
ざかるほど勾配が大きくなる。
【００６０】
すなわち、光源モジュールから遠ざかるほど、到逹する光の量が減少し、反射される光
はパネルの外郭よりも中心付近に向かうので、傾斜面の勾配を大きくすることができる。
ただし、このとき、勾配の偏差が激しいと、輝度の斑が発生するおそれがあるので、前記
傾斜面３１０ａ、３１０ｂ、３１０ｃ、３１０ｄ、３１０ｅ、３１０ｆ、３１０ｇは水平
面に対して４０〜５０°傾くようになる。
【００６１】
上述した反射効果のために、前記傾斜面３１０ａ、３１０ｂ、３１０ｃ、３１０ｄ、３
１０ｅ、３１０ｆ、３１０ｇの表面には、アルミニウム（Ａｌ）又は銀（Ａｇ）がコーテ
ィングなどの方法で形成される。また、前記傾斜面３１０ａ、３１０ｂ、３１０ｃ、３１
０ｄ、３１０ｅ、３１０ｆ、３１０ｇが備えられた反射板の底面にもアルミニウム又は銀
が形成される。
【００６２】
そして、図示していないが、前記傾斜面３１０ａ、３１０ｂ、３１０ｃ、３１０ｄ、３
１０ｅ、３１０ｆ、３１０ｇの表面にパターンが備えられ、このパターンは、前記光源モ
ジュールから入射される光を散乱させ、光を均一に反射させることができる。
【００６３】
そして、前記フレーム上に収容された光源モジュールと反射板上に、前記反射板で進行
された光を拡散させる光学部材が備えられることは、上述した実施例の場合と同一である
。
【００６４】
図８は、第３の実施例に係るバックライトユニットの反射板を詳細に示した図で、図９
は、図８のバックライトユニットの発光素子モジュールと反射板を示した斜視図である。
以下では、図８及び図９を参照して実施例に係るバックライトユニットを詳細に説明する
。
【００６５】
本実施例では、光源モジュールが互いに対向してフレーム４００の４辺に備えられる。
そして、反射板は、複数の傾斜面４１０ａ、４１０ｂ、４１０ｃ、４１０ｄを含むことが
できる。
【００６６】
ここで、複数の傾斜面４１０ａ、４１０ｂ、４１０ｃ、４１０ｄは、同心を有し、かつ
、互いに異なる長さを有する四角形上に備えられる。すなわち、各傾斜面４１０ａ、４１
０ｂ、４１０ｃ、４１０ｄは４個の辺からなるが、各傾斜面４１０ａ、４１０ｂ、４１０
ｃ、４１０ｄは同心を有することができ、前記同心はフレーム４００の中央に該当する。
【００６７】
そして、前記複数の傾斜面４１０ａ、４１０ｂ、４１０ｃ、４１０ｄは、前記４個の光
源モジュールのうち近い位置の光源モジュールから遠ざかるほど高さｈａ、ｈｂ、ｈｃ、
ｈｄが増加する。すなわち、特定の光源モジュールに近く位置した傾斜面は、前記光源モ
ジュールから遠ざかるほど高さが高くなり、かつ、幅が狭くなるように備えられる。
【００６８】
そして、フレーム４００の中央に備えられた傾斜面４１０ｄは、ピラミッドと類似した
形態、すなわち、図示したように、底が正方形で、側面に４個の三角形が備えられた５面
体をなしており、前記４個の三角形は光を反射させる役割をする。このとき、前記５面体
の頂点は、傾斜面のうち最も高い高さを表すことができる。
【００６９】
ここで、水平方向に対して既に設定された角度だけ傾いた傾斜面４１０ａ、４１０ｂ、
４１０ｃ、４１０ｄで光が反射され、この光は、図８の上部、すなわち、パネル方向に向
かうようになる。図９では４個の傾斜面が開示されているが、実際には、より多くの数の
傾斜面が備えられるとき、輝度が向上し、光が１ヶ所に集まって発生する斑を防止するこ
とができる。
【００７０】
ここで、各傾斜面４１０ａ、４１０ｂ、４１０ｃ、４１０ｄの勾配が一定であるときも
、上述した光の反射効果を期待することができる。そして、図示したように、各傾斜面４
１０ａ、４１０ｂ、４１０ｃ、４１０ｄは、前記４個の光源モジュールのうち近い位置の
光源モジュールから遠ざかるほど勾配θａ、θｂ、θｃ、θｄが大きくなる。
【００７１】
すなわち、光源モジュールから遠ざかるほど、到逹する光の量が減少し、反射される光
はパネルの外郭よりも中心付近に向かうので、傾斜面の勾配を大きくすることができる。
ただし、このとき、勾配の偏差が激しいと、輝度の斑が発生するおそれがあるので、前記
傾斜面４１０ａ、４１０ｂ、４１０ｃ、４１０ｄは水平面に対して４０〜５０°傾くよう
になる。
【００７２】
上述した反射効果のために、前記傾斜面４１０ａ、４１０ｂ、４１０ｃ、４１０ｄの表
面及び反射板の底面に銀又はアルミニウムがコーティングされることは、上述した通りで
ある。また、前記傾斜面４１０ａ、４１０ｂ、４１０ｃ、４１０ｄの表面にパターンが備
えられ、このパターンは、前記光源モジュールから入射される光を散乱させ、光を均一に
反射させることができる。
【００７３】
そして、前記フレーム上に収容された光源モジュールと反射板上に、前記反射板で進行
された光を拡散させる光学部材が備えられることは、上述した実施例の場合と同一である
。
【００７４】
図１０Ａ及び図１０Ｂは、第４の実施例に係るバックライトユニットの発光素子モジュ
ールと反射板を示した図で、図１１Ａ及び図１１Ｂは、図１０の反射板を詳細に示した図
である。
【００７５】
本実施例は、上述したバックライトユニットの第３の実施例と類似しているが、バック
ライトユニットが正方形でなく矩形である。したがって、図１０Ａに示すように、互いに
対向する一対の光源モジュールにそれぞれより多くの数の発光素子パッケージ１００が配
置され、他の一対の光源モジュールにはより少ない数の発光素子パッケージ１００が配置
される。
【００７６】
そして、図１０Ｂに示した実施例において、各傾斜面４１０ａ、４１０ｂ、４１０ｃ、
４１０ｄが配置された四角形の頂点は、ラウンド状に曲率を有する。
【００７７】
そして、図１１Ａは、図１０Ａと図１０Ｂの傾斜面をｘ−ｘ’軸で示した断面図で、図
１１Ｂは、図１０Ａと図１０Ｂの傾斜面をｙ−ｙ’軸で示した断面図である。図示したよ
うに、ｘ−ｘ’軸の長さがより長いので、各反射面間の距離がより大きい。
【００７８】
図１２は、表示装置の一実施例を示した斜視図である。以下では、図１２を参照して実
施例に係る表示装置を説明する。
【００７９】
まず、図１２に示すように、フレーム２００上に反射板が備えられ、前記光源モジュー
ルから放出された光の進路を変更することができ、前記反射板は、複数の傾斜面２１０ａ
、２１０ｂ、２１０ｃ、２０１ｄ、２１０ｅを含むことができる。そして、光源モジュー
ルは、フレームの少なくとも一つの側面に備えられるが、ブラケット１２０の第１の面上
には、前記発光素子パッケージ１００アレイが備えられた印刷回路基板１１０が接合され
て形成される。
【００８０】
そして、フレーム２００の一側面に前記発光素子モジュールが固定されており、図示し
ていないが、熱伝達部材が前記ブラケット１２０と接して前記フレーム２００上に備えら
れる。
【００８１】
反射板は、光源モジュールから放出される光を反射／散乱させ、その光が液晶表示装置
の画面の全領域にわたって均一に分布されるようにする。反射板の具体的な形状は、上述
した通りであり、図１２の１−エッジ方式の他に、２−エッジ方式及び４−エッジ方式の
光源モジュールから放出された光を反射させる構造であることは、上述した通りである。
【００８２】
ここで、１−エッジタイプでは、光源モジュールが単一のライン形態で配置され、２−
エッジタイプでは、互いに対向する一対の発光素子アレイが配置される。
【００８３】
そして、光学部材５００は、前記反射板の上部に備えられ、反射板から出射される光を
所定角度で拡散させる。光学部材５００は、反射板で導かれた光を液晶表示装置などのパ
ネル５１０方向に均一に照射させる。
【００８４】
このとき、前記反射板と前記光学部材５００との間には導光板（図示せず）が配置され
、この導光板は、前記反射板から反射された光を前記光学部材５００の方向にガイドする
ことができる。
【００８５】
光学部材５００としては、拡散シート、プリズムシート又は保護シートなどの光学シー
トを選択的に積層して使用し、あるいはマイクロレンズアレイを使用することもできる。
このとき、複数の光学シートを使用することもでき、光学シートは、アクリル樹脂、ポリ
ウレタン樹脂又はシリコン樹脂などの透明樹脂からなる。
【００８６】
そして、前記パネル５１０のうち液晶表示装置は、ガラス基板間に液晶が位置し、光の
偏光性を用いるために偏光板を両ガラス基板に載せた状態となっている。ここで、液晶は
、液体と固体の中間的な特性を有するが、液体のように流動性を有する有機分子である液
晶が結晶のように規則的に配列された状態を有し、前記分子配列が外部の電界によって変
化する性質を用いて画像を表示する。
【００８７】
表示装置に使用される液晶表示装置は、アクティブマトリックス方式であって、各画素
に供給される電圧を調節するスイッチとしてトランジスタを使用する。
【００８８】
そして、前記パネル５１０の前面にはカラーフィルタ５２０が備えられている。ここで
、カラーフィルタ５２０は、前記パネル５１０から投射された光のうち各画素ごとに赤色
、緑色及び青色の光のみを透過するので、画像を表現することができる。
【００８９】
上述した構造の表示装置は、導光板を省略できるので、超軽量化及び超薄化を達成する
ことができ、反射板内の傾斜面で光がパネルの全方向に導かれるので、輝度の斑を防止す
ることができる。
【００９０】
以上では、実施例を中心にして説明したが、これは例示に過ぎないもので、本発明を限
定するものではなく、本発明の属する分野で通常の知識を有する者であれば、本実施例の
本質的な特性を逸脱しない範囲で以上で例示していない多様な変形と応用が可能であるこ
とが分かるだろう。例えば、実施例に具体的に示した各構成要素は、変形して実施するこ
とができる。そして、このような変形と応用と関連した各差異点は、添付の特許請求の範
囲で規定する本発明の範囲に含まれるものと解釈すべきである。
【符号の説明】
【００９１】
１１    第１の電極
１２    第２の電極
１４    発光素子
１６    接合層
１７    レンズ
１８    樹脂層
２０    パッケージ本体
１００    発光素子パッケージ
【図１】
2014078520.tif 000003
【図２】
2014078520.tif 000004
【図３】
2014078520.tif 000005
【図４】
2014078520.tif 000006
【図５】
2014078520.tif 000007
【図６】
2014078520.tif 000008
【図７】
2014078520.tif 000009
【図８】
2014078520.tif 000010
【図９】
2014078520.tif 000011
【図１０Ａ】
2014078520.tif 000012
【図１０Ｂ】
2014078520.tif 000013
【図１１Ａ】
2014078520.tif 000014
【図１１Ｂ】
2014078520.tif 000015
【図１２】
2014078520.tif 000016